【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
コンピュータに実装された方法であって、
検証要求を受信するステップと、
前記検証要求を受信することに応答して、
第1の文字列を取得するステップであって、前記第1の文字列が1つの以上の可変文字を含み、前記第1の文字列は1つ以上の動作を実行するための第1の命令である、ステップと、
第2の文字列を生成するために、複数のあらかじめ確立された対応する関係に基づいて、前記第1の文字列の前記1つ以上の可変文字のうちの少なくとも1つを少なくとも1つのバックアップ文字で置き換えるステップであって、前記第1の文字列の前記1つ以上の可変文字の置き換えられた可変文字と前記少なくとも1つのバックアップ文字の対応するバックアップ文字とは同音文字または同義語文字であり、前記第2の文字列は1つ以上の動作を実行するための第2の命令である、ステップと、
前記第2の文字列に基づいて検証コードを生成するステップと、
前記検証コードと前記検証コードに対応する入力領域を表示するステップであって、前記入力領域は複数の選択可能なアイテムを含み、前記検証コードはユーザに前記複数の選択可能なアイテムから1つ以上の選択可能なアイテムを選択するように命令する、ステップと、
前記検証コードに対応するユーザ入力を受信するステップと、
前記ユーザ入力に基づいて前記検証要求に対応する前記ユーザを検証するステップと
を備える、コンピュータに実装された方法。
【請求項２】
前記第1の文字列が、前記検証コードを受信する前にあらかじめ生成されている、請求項1に記載のコンピュータに実装された方法。
【請求項３】
前記置き換えられた可変文字は漢字であり、前記対応するバックアップ文字は前記漢字の同音文字または同義語文字である、請求項1に記載のコンピュータに実装された方法。
【請求項４】
前記ユーザ入力は、第3の文字列または複数の選択動作に関連付けられている、請求項1に記載のコンピュータに実装された方法。
【請求項５】
前記複数のあらかじめ確立された対応する関係は、複数の可変文字と複数のバックアップ文字との間の関係であり、前記複数の対応する関係をあらかじめ確立することは、
前記複数の可変文字のそれぞれの個別の可変文字について、
前記個別の可変文字の1つ以上の同音文字および前記個別の可変文字の1つ以上の同義語文字の少なくとも1つを決定するステップと、
前記決定された少なくとも1つの文字を、前記個別の可変文字の少なくとも1つの個別のバックアップ文字として使用するステップと、
え個別の可変文字と前記少なくとも1つの個別のバックアップ文字との間に少なくとも1つの対応する関係を確立するステップと
を備える、請求項1に記載のコンピュータに実装された方法。
【請求項６】
前記生成された検証コードが、写真フォーマットおよびテキストフォーマットの少なくとも一方である、請求項1に記載のコンピュータに実装された方法。
【請求項７】
コンピュータシステムによって動作を実行するために実施され得る1つ以上の命令を記憶している非一時的なコンピュータ可読記憶媒体であって、
前記動作は、
検証要求を受信することと、
前記検証要求を受信することに応答して、
第1の文字列を取得することであって、前記第1の文字列が1つの以上の可変文字を含み、前記第1の文字列は1つ以上の動作を実行するための第1の命令である、第1の文字列を取得することと、
第2の文字列を生成するために、複数のあらかじめ確立された対応する関係に基づいて、前記第1の文字列の前記1つ以上の可変文字のうちの少なくとも1つを少なくとも1つのバックアップ文字で置き換えることであって、前記第1の文字列の前記1つ以上の可変文字の置き換えられた可変文字と前記少なくとも1つのバックアップ文字の対応するバックアップ文字とは同音文字または同義語文字であり、前記第2の文字列は1つ以上の動作を実行するための第2の命令である、置き換えることと、
前記第2の文字列に基づいて検証コードを生成することと、
前記検証コードと前記検証コードに対応する入力領域を表示することであって、前記入力領域は複数の選択可能なアイテムを含み、前記検証コードはユーザに前記複数の選択可能なアイテムから1つ以上の選択可能なアイテムを選択するように命令する、表示することと、
前記検証コードに対応するユーザ入力を受信することと、
前記ユーザ入力に基づいて前記検証要求に対応する前記ユーザを検証することと、
を備える、非一時的なコンピュータ可読記憶媒体。
【請求項８】
前記第1の文字列が、前記検証コードを受信する前にあらかじめ生成されている、請求項7に記載の非一時的なコンピュータ可読記憶媒体。
【請求項９】
前記置き換えられた可変文字は漢字であり、前記対応するバックアップ文字は前記漢字の同音文字または同義語文字である、請求項7に記載の非一時的なコンピュータ可読記憶媒体。
【請求項１０】
前記ユーザ入力は、第3の文字列または複数の選択動作に関連付けられている、請求項7に記載の非一時的なコンピュータ可読記憶媒体。
【請求項１１】
前記複数のあらかじめ確立された対応する関係は、複数の可変文字と複数のバックアップ文字との間の関係であり、前記複数の対応する関係をあらかじめ確立することは、
前記複数の可変文字のそれぞれの個別の可変文字について、
前記個別の可変文字の1つ以上の同音文字および前記個別の可変文字の1つ以上の同義語文字の少なくとも1つを決定することと、
前記決定された少なくとも1つの文字を、前記個別の可変文字の少なくとも1つの個別のバックアップ文字として使用することと、
前記個別の可変文字と前記少なくとも1つの個別のバックアップ文字との間に少なくとも1つの対応する関係を確立することと、
を備える、請求項7に記載の非一時的なコンピュータ可読記憶媒体。
【請求項１２】
前記生成された検証コードが、写真フォーマットおよびテキストフォーマットの少なくとも一方である、請求項7に記載の非一時的なコンピュータ可読記憶媒体。
【請求項１３】
コンピュータに実装されたシステムであって、前記システムは、
1つ以上のコンピュータと、
1つ以上のコンピュータメモリデバイスであって、前記1つ以上のコンピュータと相互動作可能に連結され、前記1つ以上のコンピュータによって実施されるときに1つ以上の動作を実行する1つ以上の命令を記憶している、有形の非一時的な機械可読記憶媒体と、を含み、
前記動作は、
検証要求を受信することと、
前記検証要求を受信することに応答して、
第1の文字列を取得することであって、前記第1の文字列が1つの以上の可変文字を含み、前記第1の文字列は1つ以上の動作を実行するための第1の命令である、第1の文字列を取得することと、
第2の文字列を生成するために、複数のあらかじめ確立された対応する関係に基づいて、前記第1の文字列の前記1つ以上の可変文字のうちの少なくとも1つを少なくとも1つのバックアップ文字で置き換えることであって、前記第1の文字列の前記1つ以上の可変文字の置き換えられた可変文字と前記少なくとも1つのバックアップ文字の対応するバックアップ文字とは同音文字または同義語文字であり、前記第2の文字列は1つ以上の動作を実行するための第2の命令である、置き換えることと、
前記第2の文字列に基づいて検証コードを生成することと、
前記検証コードと前記検証コードに対応する入力領域を表示することであって、前記入力領域は複数の選択可能なアイテムを含み、前記検証コードはユーザに前記複数の選択可能なアイテムから1つ以上の選択可能なアイテムを選択するように命令する、表示することと、
前記検証コードに対応するユーザ入力を受信することと、
前記ユーザ入力に基づいて前記検証要求に対応する前記ユーザを検証することと、
を備える、コンピュータに実装されたシステム。
【請求項１４】
前記第1の文字列が、前記検証コードを受信する前にあらかじめ生成されている、請求項13に記載のコンピュータに実装されたシステム。
【請求項１５】
前記置き換えられた可変文字は漢字であり、前記対応するバックアップ文字は前記漢字の同音文字または同義語文字である、請求項13に記載のコンピュータに実装されたシステム。
【請求項１６】
前記ユーザ入力は、第3の文字列または複数の選択動作に関連付けられている、請求項13に記載のコンピュータに実装されたシステム。
【請求項１７】
前記生成された検証コードが、写真フォーマットおよびテキストフォーマットの少なくとも一方である、請求項13に記載のコンピュータに実装されたシステム。